(57)【特許請求の範囲】
【請求項１】
本体ケースの上側の両角を凹ませることによって形成された左右のマイクロフォン受け部と、
前記左右のマイクロフォン受け部内に配置された左右のマイクロフォンと、
前記左右のマイクロフォン受け部上にそれぞれ形成され、前記左右のマイクロフォン受け部での反響をなくすために前記左右のマイクロフォンの背後にスペースを形成するための前記左右のマイクロフォン受け部の中の凹みである凹部と、
を備えたことを特徴とするポータブル録音装置。
【請求項２】
前記左右のマイクロフォンは、所定角度内で回転可能に前記本体ケースに保持されていることを特徴とする請求項１記載のポータブル録音装置。
【請求項３】
前記左右のマイクロフォンは、前記本体ケースに保持されたマイクロフォン本体と、このマイクロフォン本体に形成され、外周面の一部と側面とが開口した円筒状のトランスデューサ室と、前記外周面の開口部分及び側面に向けて傾いた状態で前記トランスデューサ室に収納され、音を電気信号に変換するトランスデューサと、前記トランスデューサ室を覆うマイクロフォンキャップとからなることを特徴とする請求項２記載のポータブル録音装置。
【発明の詳細な説明】
【技術分野】
【０００１】
本発明は、ポータブル録音装置に関するものである。
【背景技術】
【０００２】
ポータブル録音装置は、持ち運びが可能であることから、広く普及しており、例えば、会議の録音、コンサート会場での演奏録音、鳥の鳴き声の録音、川のせせらぎの録音等に用いられている。ポータブル録音装置は、録音機構を収納した本体ケースと、マイクロフォンとから構成され、マイクロフォンで変換された電気信号が、記録メディアに記録される。
【０００３】
従来のポータブル録音装置としては、特許文献１に記載されているように、左右一対のマイクロフォンを、その軸線が本体ケースの外側で交差するように、ハ字状に取り付けるものが知られている。このポータブル録音装置では、一対のマイクロフォンがハ字状に配置されていることから、左右のマイクロフォンの間の音が抜ける中抜け現象を防止して、高品質な録音を可能としている。
【特許文献１】特開２００７−０４３５１０号公報
【発明の開示】
【発明が解決しようとする課題】
【０００４】
ポータブル録音装置は、携帯性が要求されるが、特許文献１では、箱状をした本体ケースの上部に左右一体のマイクロフォンをハ字状に取り付けているため、マイクロフォンが邪魔となり、持ち運びに不便であった。
【０００５】
本発明は、上記課題を解決するためになされたものであり、持ち運びに便利で、且つ高品質での録音を行うことができる、小型なポータブル録音装置を提供することを目的とする。
【課題を解決するための手段】
【０００６】
上記目的を達成するために、本発明のポータブル録音装置は、本体ケースの上側の両角を凹ませることによって形成された左右のマイクロフォン受け部と、前記左右のマイクロフォン受け部内に配置された左右のマイクロフォンと、前記左右のマイクロフォン受け部上にそれぞれ形成され、前記左右のマイクロフォン受け部での反響をなくすために前記左右のマイクロフォンの背後にスペースを形成するための前記左右のマイクロフォン受け部の中の凹みである凹部と、を備えたことを特徴とする。
【０００７】
また、前記左右のマイクロフォンは、所定角度内で回転可能に前記本体ケースに保持されていることが好ましい。
【０００８】
さらに、前記左右のマイクロフォンは、前記本体ケースに保持されたマイクロフォン本体と、このマイクロフォン本体に形成され、外周面の一部と側面とが開口した円筒状のトランスデューサ室と、前記外周面の開口部分及び側面に向けて傾いた状態で前記トランスデューサ室に収納され、音を電気信号に変換するトランスデューサと、前記トランスデューサ室を覆うマイクロフォンキャップとからなることが好ましい。
【発明の効果】
【０００９】
本発明のポータブル録音装置によれば、マイクロフォンが本体ケースから突出していないので、小型となって持ち運びに便利である。また、マイクロフォンの背後にスペースを確保することができるから、本体ケースからの反響によって音質が低下するのを防止することができる。
【発明を実施するための最良の形態】
【００１０】
図１に示すように、ポータブル録音機２は、本体ケース３と、左マイクロフォン４と、右マイクロフォン５とを備える。左右マイクロフォン４，５は、周囲の音を集音し、集音した音を電気信号に変換する。本体ケース３は、前カバー６と後カバー７とから構成されている。
【００１１】
本体ケース３の内部には、ポータブル録音機２の駆動を制御する録音部８が設けられている。本体ケース３の内部には、ＳＤカード９が着脱可能に収納されており、左右マイクロフォン４，５からの電気信号は、録音部８により、録音データとしてＳＤカード９に記録される。
【００１２】
本体ケース３には、ＬＣＤ１１、録音／録音一時停止ボタン（以下、録音ボタンと称する）１２、再生／再生一時停止ボタン（以下、再生ボタンと称する）１３、停止ボタン１４、メニューボタン１５、ジョグダイヤル１６、出力端子１７等が設けられている。なお、各ボタン１２〜１５は、押込みタイプのボタンにより構成されている。
【００１３】
録音ボタン１２を押圧すると、録音を開始する制御が行われ、録音制御中に録音ボタン１２を押圧すると、録音一時停止制御が行われる。
【００１４】
再生ボタン１３を押圧すると、ＳＤカード９内の録音データの再生制御が行われ、再生制御中に再生ボタン１３を押圧すると、再生一時停止制御が行われる。再生された録音データは、出力端子１７に送られる。出力端子１７に、スピーカを装着すると、再生された音を聞くことができる。
【００１５】
メニューボタン１５を押圧すると、ＬＣＤ１１に、各種設定を行うための設定画面が表示される。ＬＣＤ１１には、設定画面の他に、再生する録音データを選択する選択画面が表示される。ジョグダイヤル１６を操作して設定及び選択を行う。
【００１６】
本体ケース３の上側の両角に、マイクロフォン受け部２０ａ，２０ｂが形成されており、この中に左マイクロフォン４と右マイクロフォン５とが、その下方と後側とが囲まれた状態で配置されている。また、本体ケース３には、マイクロフォン受け部２０ａ，２０ｂとの間に位置するように、孔２１（図２参照）が形成され、マイクロフォン本体２５（図３参照）を回転可能に保持する。
【００１７】
図２に示すように、マイクロフォン受け部２０ａ，２０ｂには、左右マイクロフォン４，５との間にスペースを確保して、マイクロフォン受け部２０ａ，２０ｂからの反響をなくすための凹部２２ａ，２２ｂが形成されている。マイクロフォン受け部２０ａ，２０ｂに、凹部２２ａ，２２ｂを形成することにより、図１に示すように、左右マイクロフォン４，５を、本体ケース３から突出しないように設けながらも、左右マイクロフォン４，５を本体ケース３から突出させたものと同様に、左右マイクロフォン４，５の背後からの反響をなくすことができる。
【００１８】
図３及び図４に示すように、マイクロフォン本体２５は、軸部２５ａと、この軸部２５ａの両側に突出する取付部２５ｂと、この取付部２５ｂの先に設けられたトランスデューサ室２６とから構成されている。軸部２５ａの周面には、位置決めリブ２５ｃが２個形成され、また、取付部２５ｂには取付孔２５ｄが形成されている。
【００１９】
左右のトランスデューサ室２６は、ほぼ円筒状をしており、この中に、音を音声信号（電気信号）に変換するためのトランスデューサ２７が収納されている。トランスデューサ２７の周囲には、ゴム製の保護カバー２８が取り付けられている。左右マイクロフォン４，５は、トランスデューサ室２６、トランスデューサ２７をそれぞれ備える。
【００２０】
トランスデューサ室２６の周面には、周囲の音をトランスデューサ２７に到達させるために、約２２０°の範囲にわたって形成した帯状の集音開口２６ａが形成されている。また、トランスデューサ室２６の側面にも、集音開口２６ｂが形成されている。トランスデューサ室２６には、取付リブ２６ｃが形成されている。取付リブ２６ｃに保護カバー２８を介してトランスデューサ２７を取り付けると、トランスデューサ２７は、トランスデューサ室２６の周面及び側面に形成された集音開口２６ａ，２６ｂに向けて、例えば４５°傾いた状態となる。
【００２１】
トランスデューサ室２６は、マイクロフォンキャップ２９により覆われる。マイクロフォンキャップ２９の周面及び側面には、周囲の音をトランスデューサ２７に到達させるための集音孔２９ａが形成されている。マイクロフォンキャップ２９には、把手挿入孔２９ｂと、ビス挿入孔２９ｃとが形成されている。
【００２２】
マイクロフォン本体２５には、マイクロフォン本体２５を回転させて、トランスデューサ２７の向きを変えるために、略コ字状の把手３１が取り付けられる。取付孔２５ｄは、２段の段付き状に形成されており、取付孔２５ｄの上段部には、把手３１の各先端部が挿入され、取付孔２５ｄの下段部には、ビス３２が挿入される。把手３１の各先端部には、それぞれビス締め孔３１ａが形成されている。
【００２３】
把手３１を、把手挿入孔２９ｂ及び取付孔２５ｄに挿入した後、ビス３２を、ビス挿入孔２９ｃを介して把手３１のビス締め孔３１ａにビス締めすると、図５に示すように、左右マイクロフォン４，５がユニット化される。
【００２４】
左右マイクロフォン４，５をユニット化した状態で、軸部２５ａが、本体ケース３の孔２１に挿入されるように、本体ケース３の前カバー６と後カバー７とを組み立てると、位置決めリブ２５ｃが、本体ケース３の内面に当接し、左右マイクロフォン４，５は、左右方向が位置決めされた状態で、回転可能に本体ケース３に保持される。
【００２５】
次に、ポータブル録音機２の作用について説明する。ポータブル録音機２で録音を行うときには、音源の方向に把手３１が向くように、把手３１を回す。把手３１が回されると、マイクロフォン本体２５の軸部２５ａが孔２１内で回転する。この回転によって、マイクロフォン本体２５が回転し、トランスデューサ２７は、音源に対して４５°傾いた状態に合わせられる。
【００２６】
本体ケース３の上方の音を録音するときには、図６（Ａ）に示すように、把手３１を上方に向ける。この場合には、左右マイクロフォン４，５のトランスデューサ２７が上方を向いた状態となる。また、本体ケース３の前方（図６における左方）の音を録音するときには、図６（Ｂ）に示すように、把手３１が前方に向くように、マイクロフォン本体２５を回転する。左右マイクロフォン４，５の向きを合わせてから、録音ボタン１２を押圧する。録音ボタン１２が押圧されると、集音した音が、トランスデューサ２７で電気信号に変換され、録音部８により、録音データとしてＳＤカード９に記録される。本実施形態では、左右マイクロフォン４，５は、上方を向いた状態と前方を向いた状態との９０°の範囲内で回転可能に設けられ、その回転範囲内であれば、例えば斜め４５°方向を向いた状態等にすることができる。
【００２７】
左右マイクロフォン４，５がいずれの状態に回転されているときにも、凹部２２ａ，２２ｂにより、左右マイクロフォン４，５の背後には、スペースが確保され、マイクロフォン受け部２０ａ，２０ｂからの反響を受けることがない。
【００２８】
図６（Ａ）に示す左右マイクロフォン４，５が上方を向いているときは、図６（Ｂ）に示す左右マイクロフォン４，５が前方を向いているときに比べて、左右マイクロフォン４，５の背後においてマイクロフォン受け部２０ａ，２０ｂにより覆われている部分が大きい。このため、左右マイクロフォン４，５が上方を向いているときは、マイクロフォン受け部２０ａ，２０ｂからの反響を受けやすい。そこで、左右マイクロフォン４，５が上方を向いている状態での凹部２２ａ，２２ｂの効果を確認するための実験を行った。
【００２９】
凹部２２ａ，２２ｂの効果を確認するため、図７に示すように、本体ケース３の上方の音を録音するときと同様に把手３１を上方に向けた状態（左右マイクロフォン４，５が上方を向いた状態）で、Ａ方向、Ｂ方向及びＣ方向に出力された６０Ｈｚ〜２０ＫＨｚのテスト音を、右マイクロフォン５を用いて録音し、その周波数特性を測定する実験を、本体ケース３に凹部２２ｂを形成した状態（本発明を実施したもの）と、凹部２２ｂを形成していない状態とで行った。
【００３０】
この実験により、図８に示す凹部２２ｂを有する場合のＡ方向、Ｂ方向及びＣ方向それぞれの音の周波数特性曲線（Ａ方向周波数特性曲線、Ｂ方向周波数特性曲線、Ｃ方向周波数特性曲線）と、図９に示す凹部２２ｂがない場合のＡ方向周波数特性曲線、Ｂ方向周波数特性曲線、Ｃ方向周波数特性曲線とが得られた。
【００３１】
図８と図９とを比較すると、凹部２２ｂがない場合には、マイクロフォン受け部２０ｂでの反響により、高音域である１ＫＨｚ〜１０ＫＨｚにおいて、Ａ方向周波数特性曲線とＢ方向周波数特性曲線とが異なる軌跡の曲線となる（特に、１．５ＫＨｚ〜３．５ＫＨｚ）。このため、マイク指向方向からの音（Ａ方向及びＢ方向の音）を高品質で録音することができない。
【００３２】
これに対して、凹部２２ｂを有する場合には、マイクロフォン受け部２０ｂでの反響がなくなるから、１ＫＨｚ〜１０ＫＨｚにおいて、Ａ方向周波数特性曲線とＢ方向周波数特性曲線とが同じような軌跡の曲線となる。これにより、マイク指向方向からの音を高品質で録音することができる。
【００３３】
また、凹部２２ｂがない場合には、マイクロフォン受け部２０ｂでの反響により、１ＫＨｚ〜１０ＫＨｚにおいて、Ｃ方向周波数特性曲線（マイク指向方向とは逆側からの音の周波数特性曲線）が、Ａ，Ｂ方向周波数特性曲線（マイク指向方向からの音の周波数特性曲線）に、近接したり、離れたりしているため、マイク指向方向とは逆側からの音を高品質で録音することができない。このため、右マイクロフォン５での指向性が悪い（指向範囲が狭い）。
【００３４】
これに対して、凹部２２ｂを有する場合には、マイクロフォン受け部２０ｂでの反響がなくなるから、Ｃ方向周波数特性曲線が改善され、１ＫＨｚ〜１０ＫＨｚにおいて、Ｃ方向周波数特性曲線が、Ａ，Ｂ方向周波数特性曲線から綺麗に離れている。これにより、マイク指向方向とは逆側からの音を高品質で録音することができるようになるから、右マイクロフォン５での指向性が良くなり（指向範囲が広くなる）、さらには、ステレオ感が得られる。左マイクロフォン４でも同様の結果が得られた。
【００３５】
なお、上記実施形態では、トランスデューサ２７をトランスデューサ室２６内部に傾いた状態で配置したが、トランスデューサ２７をトランスデューサ室２６内部に平行に配置してもよい。
【００３６】
また、上記実施形態では、マイクロフォンを左右に１個ずつ設けたが、片側のみ等でもよい。
【図面の簡単な説明】
【００３７】
【図１】本発明を実施したポータブル録音機を示す斜視図である。
【図２】マイクロフォンを取り外した状態のポータブル録音機を示す斜視図である。
【図３】左右マイクロフォンを分解して示す正面断面図である。
【図４】マイクロフォン本体とマイクロフォンキャップとを示す分解斜視図である。
【図５】本体ケースとマイクロフォンとを示す正面断面図である。
【図６】マイクロフォンと本体ケースとを示す側面断面図である。
【図７】把手を上向きにした状態のポータブル録音機を示す正面図である。
【図８】凹部を形成した場合のマイクロフォンの周波数特性曲線図である。
【図９】凹部を形成していない場合のマイクロフォンの周波数特性曲線図である。
【符号の説明】
【００３８】
２  ポータブル録音機（ポータブル録音装置）
３  本体ケース
４  左マイクロフォン
５  右マイクロフォン
２０ａ，２０ｂ  マイクロフォン受け部
２２ａ，２２ｂ  凹部
２５  マイクロフォン本体
２６  トランスデューサ室
２６ａ  集音開口
２７  トランスデューサ
２９  マイクロフォンキャップ
【図１】
0005045929.tif 000002
【図２】
0005045929.tif 000003
【図３】
0005045929.tif 000004
【図４】
0005045929.tif 000005
【図５】
0005045929.tif 000006
【図６】
0005045929.tif 000007
【図７】
0005045929.tif 000008
【図８】
0005045929.tif 000009
【図９】
0005045929.tif 000010